(57)【要約】【課題】快適な着座姿勢を実現しつつ、着座時に生まれるデッドスペースを有効活用して効果的に手荷物等を収納できる簡易な構成の収納部を椅子自体の大きさを通常の椅子と変わらない大きさとしつつ設けた椅子を提供する。【解決手段】本発明の椅子１は、４本の脚部２乃至５と、脚部２乃至５に固定されたフレーム部６乃至９と、フレーム部６乃至９に固定された座面部１５と、４本の脚部２乃至５のうち後方の２本の脚部４，５に連続する支柱部分４ｂ、５ｂに固定された背板部１４，１７と、座面部１５と背板部１４，１７との間に形成された所定幅及び所定深さの載置部１６とを備えている。【選択図】図１
2019037849.tif 000002
【特許請求の範囲】
【請求項１】
脚部と、座面部と、背板部と、前記座面部と前記背板部との間に形成されるもので前記座面部の平面に対して深さを有する載置部と、を備えた椅子。
【請求項２】
４本の脚部と、
前記脚部に固定されたフレーム部と、
前記フレーム部に固定された座面部と、
前記４本の脚部のうち後方の２本の脚部に連続する支柱部分に固定された背板部と、
前記座面部と前記背板部との間に形成されるもので前記座面部の平面に対して深さを有する載置部と、を備えた
椅子。
【請求項３】
前記背板部は、下端から所定長だけ前方に向けて傾斜しており、下端から所定長のところより上端までは後方に向けて傾斜している
請求項２に記載の椅子。
【請求項４】
４本の脚部と、
前記脚部に固定されたフレーム部と、
前記フレーム部に固定された座面部と、
前記４本の脚部のうち後方の２本の脚部に固定され、前記座面部の平面に水平な載置部分と前記座面部の平面に対して傾斜した背板部分とを有する背板部と、を備え、
前記載置部分は、前記座面部の平面に対して深さを有する
椅子。
【請求項５】
前記背板部の背板部分は、下端から所定長だけ前方に向けて傾斜し、下端から所定長のところより上端までは後方に向けて傾斜している
請求項４に記載の椅子。
【請求項６】
前記座面部、及び背板部は、木工下地の上にウレタンが引かれ、張地で被覆された構成となっている
請求項１乃至５のいずれか１項に記載の椅子。
【発明の詳細な説明】
【技術分野】
【０００１】
本発明は、例えばバッグ、手提げ袋、ポーチ、鞄等の手荷物を着座時に収納するための収納部を備えた椅子に関する。
【背景技術】
【０００２】
従来、手荷物を携帯したユーザは、各種会場や店舗等に設置された椅子に着座するときに、その手荷物等を足元に置くか、空席の座席に置くか、別途設けられたカゴ等に収納する等していた。足元に手荷物を置いた場合には、床面の汚れなどが手荷物を汚す原因となり、空席に置いた場合には、席数が減って着座可能人数が減少して店舗の売上に間接的に影響し、カゴ等に収納する場合には、椅子とは別にその設置のためのスペースが必要となることから椅子まわりが狭くなる等、種々の問題を抱えていた。
【０００３】
このような課題に着目したものとしては、座板と背板を有する椅子において、背板上方に座る人を前方に押し出す位置に背当て部材が設けられており、人が椅子に座ったときに座った人と背板の間にハンドバッグや鞄などの手荷物を収納することができる収納空間を構成する手荷物収納式椅子がある（例えば、特許文献１等参照）
【先行技術文献】
【特許文献】
【０００４】
【特許文献１】特開２０００−１２５９８９号公報
【発明の概要】
【発明が解決しようとする課題】
【０００５】
しかしながら、特許文献１に開示されたものは、座る人を前方に押し出す構成であることから、背当て板と背板との間隔を確保する必要があり、椅子自体が大型なものとなっていた。さらに、座る人を前方に押し出すことを前提としており、着座姿勢が快適なものとなるかについては、何ら検討されていなかった。
【０００６】
本発明は、このような課題に鑑みてなされたものであり、その目的とするところは、快適な着座姿勢を実現しつつ、着座時に生まれるデッドスペースを有効活用して効果的に手荷物等を収納でき、収納部を備えた構成としながらもその機能をユーザに意識させない機能美を備えた、簡易な構成の収納部を備えた椅子を提供することにある。
【課題を解決するための手段】
【０００７】
上記課題を解決するため、本発明の第１の態様に係る椅子は、脚部と、座面部と、背板部と、前記座面部と前記背板部との間に形成されるもので前記座面部の平面に対して深さを有する載置部と、を備えている。
【０００８】
そして、本発明の第２の態様に係る椅子は、４本の脚部と、前記脚部に固定されたフレーム部と、前記フレーム部に固定された座面部と、前記４本の脚部のうち後方の２本の脚部に連続する支柱部分に固定された背板部と、前記座面部と前記背板部との間に形成されるもので前記座面部の平面に対して深さを有する載置部とを備えている。
【０００９】
本発明の第３の態様に係る椅子は、第２の態様において、前記背板部は、下端から所定長だけ前方に向けて傾斜しており、下端から所定長のところより上端までは後方に向けて傾斜している。
【００１０】
そして、本発明の第４の態様に係る椅子は、４本の脚部と、前記脚部に固定されたフレーム部と、前記フレーム部に固定された座面部と、前記４本の脚部のうち後方の２本の脚部に固定され、前記座面部の平面に水平な載置部分と前記座面部の平面に対して傾斜した背板部分とを有する背板部とを備え、前記載置部分は、前記座面部の平面に対して深さを有する。
【００１１】
本発明の第５の態様に係る椅子は、第４の態様において、前記背板部の背板部分は、下端から所定長だけ前方に向けて傾斜し、下端から所定長のところより上端までは後方に向けて傾斜している。
【００１２】
本発明の第６の態様に係る椅子は、第１乃至第５の態様において、前記座面部、及び背板部は、木工下地の上にウレタンが引かれ、張地で被覆された構成となっている。
【発明の効果】
【００１３】
本発明によれば、快適な着座姿勢を実現しつつ、着座時に生まれるデッドスペースを有効活用して効果的に手荷物等を収納でき、収納部を備えた構成としながらもその機能をユーザに意識させない機能美を備えた、一般的な椅子と大きさがほぼ変わらない簡易な構成の収納部を備えた椅子を提供することができる。
【図面の簡単な説明】
【００１４】
【図１】本発明の第１実施形態に係る椅子の斜視図である。
【図２】図２（ａ）は同椅子の平面図、図２（ｂ）は同椅子の正面図、図２（ｃ）は同椅子を側面図である。
【図３】図３（ａ）及び図３（ｂ）は、同椅子の内部構成を示す図である。
【図４】同椅子の一部断面図である。
【図５】本発明の第２実施形態に係る椅子の斜視図である。
【図６】図６（ａ）は同椅子の平面図、図６（ｂ）は同椅子の正面図、図６（ｃ）は同椅子を側面図である。
【図７】同椅子の一部断面図である。
【発明を実施するための形態】
【００１５】
以下、図面を参照しつつ本発明の実施形態について説明する。
【００１６】
本発明の第１及び第２実施形態は、脚部と、座面部と、背板部と、前記座面部と前記背板部との間に形成されるもので前記座面の平面に対して深さを有する載置部とを備えた椅子である。
【００１７】
従って、着座時に生まれるデッドスペースを有効活用して、手荷物を収納できる収納空間を実現しつつ、快適な着座姿勢も実現することができる。さらに、収納部を備えた構成としながらもその機能をユーザに意識させない機能美を備えた、一般的な椅子と大きさがほぼ変わらない簡易な構成の椅子を実現することができる。
【００１８】
＜第１実施形態＞
【００１９】
図１には本発明の第１実施形態に係る椅子の斜視図を示し、図２（ａ）には同椅子の平面図を示し、図２（ｂ）には同椅子の正面図を示し、図２（ｃ）には同椅子の側面図を示し、図３（ａ）及び図３（ｂ）には同椅子の内部構成を示し、図４には同椅子の一部断面図を示し、構成及び作用を詳細に説明する。
【００２０】
図１、図２（ａ）乃至図２（ｃ）に示されるように、本実施形態に係る椅子１は、４本の脚部２乃至５を備えている。前側の脚部２は、隣り合う２つの各面が前方フレーム部６と側方フレーム部８とにそれぞれ当接して固定される。前方の脚部３は、隣り合う２つの各面が前方フレーム部６と側方フレーム部７とにそれぞれ当接して固定されている。後方の脚部４は、側方フレーム部８に固定されている。後方の脚部５は、側方フレーム部７に固定されている。脚部４は、脚部分４ａと支柱部分４ｂからなる。脚部５は、脚部分５ａと支柱部分５ｂとからなる。
【００２１】
図３（ａ）及び図３（ｂ）に示されるように、側方フレーム部７、８には、後方フレーム部９の両端がそれぞれ固定されている。側方フレーム部７、８の後方から所定長の部分は、側方補強部１０がそれぞれ形成されており、該側方補強部１０には後方補強部１１の両端がそれぞれ固定される。尚、側方補強部１０は、側方フレーム部７、８とは別体としてもよい。
【００２２】
図１、図２（ａ）、図２（ｂ）、図２（ｃ）、図３（ａ）、及び図３（ｂ）に示されるように、脚部４、５の上方に延びた支柱部分４ｂ、５ｂには、座面と略同じ高さのところから上方に向けて所定幅となるように背面補強部１２の両端がそれぞれ固定されており、更に該背面補強部１２と所定間隔を隔てた上方には別の背面補強部１３の両端がそれぞれ固定されている。そして、脚部４、５の支柱部分４ｂ、５ｂの上端には、所定幅の背板部１４の両端がそれぞれ固定されている。
【００２３】
図４に示されるように、前方フレーム部６、側方フレーム部７、８、後方フレーム部９で形成されるフレーム部の上には、座面部１５が固定される。この座面部１５は、木工下地の上に所定の厚みのウレタンが引かれ、張地で被覆された構成となっている。後方補強部１１の上には、バッグ、鞄、ポーチ、手提げ袋等の手荷物を載置する為の載置部１６が固定される。背板部１４の表面には、背面部１７が固定される。この木工下地の上に所定の厚みのウレタンが引かれ、張地で被覆された構成となっている。
【００２４】
載置部１６は、座面部１５よりも低いところに固定されるので、座面部１５と背面補強部１２との間に所定の深さの収納空間が形成される。そのとき、脚部４、５の支柱部分４ｂ、５ｂは、脚部分４ａ、５ａとの切り替わりの部分から、前方に向けて所定角度で傾斜しつつ延びており、背面部１７が固定される領域だけ後方に向けて所定角度で傾斜しつつ延びているので、収納空間を実現しつつも、着座姿勢は快適なものとしている。
【００２５】
この例では、座面部１５の奥行方向の幅が約３５０ｍｍであるのに対して、載置部１６の奥行方向の幅は約１５５ｍｍ、深さが約７０ｍｍとなっており、手荷物を収納するには十分な収納空間が実現されている。また、背面部１７の座面部１５に対する傾斜角は、この例では９９．６度となっており、着座姿勢を快適なものとするのに寄与している。座面部１５や背面部１７の固定については、面ファスナー等を用いてもよい。
【００２６】
以上説明したように、本発明の第１実施形態によれば、４本の脚部２乃至５と、脚部２乃至５に固定されたフレーム部６乃至９と、フレーム部６乃至９に固定された座面部１５と、４本の脚部２乃至５のうち後方の２本の脚部４，５に連続する支柱部分４ｂ、５ｂに固定された背板部１４，１７と、座面部１５と背板部１４，１７との間に形成された所定幅及び所定深さの載置部１６とを備えた椅子１が提供される。
【００２７】
背板部１４、１７が固定される脚部４、５の支柱部分４ｂ、５ｂは、下端から所定長だけ（途中まで）前方に向けて所定角度で傾斜しており、下方から所定長のところ（途中）より上端までは後方に向けて傾斜していてよい。
【００２８】
従って、簡易な構成により、着座時にユーザの腰の部分にできるデッドスペースを有効活用して手荷物を収納するのに十分な収納空間を形成しつつ、着座姿勢も快適なものとすることができる。
【００２９】
＜第２実施形態＞
【００３０】
図５には本発明の第２実施形態に係る椅子の斜視図を示し、図６（ａ）には同椅子の平面図を示し、図６（ｂ）には同椅子の正面図を示し、図６（ｃ）には同椅子の側面図を示し、図７には同椅子の一部断面図を示し、その構成及び作用を説明する。
【００３１】
図５、図６（ａ）乃至図６（ｃ）に示されるように、本実施形態に係る椅子２０は、４本の脚部２１、２２、２３、２４を備えている。前方の２本の脚部２１、２２は、前方フレーム部２５を介して連続するように一体に成型されている。一方、後方の２本の脚部２３、２４は、脚部分２３ａ、２４ａとフレーム部分２３ｂ、２４ｂとからなり、略垂直に延びる脚部分２３ａ、２４ａから屈曲して水平方向にフレーム部分２３ｂ、２４ｂが延びた構成となっている。脚部２３、２４のフレーム部分２３ｂ、２４ｂの先端は、それぞれ脚部２１、２２に固定されている。
【００３２】
図６（ｃ）、図７に示されるように、前方フレーム部２５には、所定長で後方に向けて延びる２箇所の固定部３１が所定間隔を隔てて設けられている。脚部２３、２４のフレーム部分２３ｂ、２４ｂには、後方フレーム部２６が固定されており、該後方フレーム部２６には、所定長で前方に向けて延びる2箇所の固定部３２が所定間隔を隔てて設けられている。そして、この固定部３１、３２に、座面部２９の底面に固定された金具３８、３９が当接し、固定部３１，３２側からネジ３４、３５により固定される。
【００３３】
２本の脚部２３、２４のフレーム部分２３ｂ、２４ｂには、該フレーム部分２３ｂ、２４ｂの長手方向と垂直な位置関係で２つの背板固定部２７、３３が固定されている。背板固定部２７には、断面が略Ｌ字状の突出部２８が設けられている。背板部３０は、載置部分３０ａと背板部分３０ｂで構成される。背板部３０は、載置部分３０ａの先端が背板固定部２７の突出部２８に係合し、上方よりネジ３６により固定される。更に、載置部分３０ａの底面は、固定部３３に対してネジ３７により下方より固定される。
【００３４】
座面部２９は、木工下地の上に所定の厚みのウレタンが引かれ、張地で被覆された構成となっている。背板部３０は、木工下地の上に所定の厚みのウレタンが引かれ、張地で被覆された構成となっている。但し、これには限定されない。
【００３５】
背板部３０の載置部分３０ａは、座面部２９よりも低いところに固定されるので、座面部２９と背面部３０との間に所定の深さの収納空間が形成される。背板部３０の背板部分３０ｂは、載置部分３０ａとの切換え部分から前方に向けて所定長だけ（途中まで）所定角度で傾斜しつつ延び、その所定長のところ（途中）より上端まで所定角度で後方に傾斜した構成となっているので、収納空間を実現しつつも快適な着座姿勢は実現されている。
【００３６】
この例では、座面部３１の奥行方向の幅が約３６０ｍｍであるのに対して、背板部３０の載置部分３０ａの奥行方向の幅が約１３０ｍｍ、深さが約９０ｍｍであり、バッグや鞄等の手荷物を収納するには十分な収納空間が実現されている。
【００３７】
以上説明したように、本発明の第２実施形態によれば、４本の脚部２１乃至２４と、脚部２１乃至２４に固定されたフレーム部２５，２６等と、フレーム部２５，２６等に固定された座面部２９と、後方の２本の脚部２３，２４に固定された背板固定部２７，３３に固定され、座面部２９の平面に水平な載置部分３０ａと座面部２９の平面より所定角度で傾斜した背板部分３０ｂとを有する背板部３０とを備え、載置部分３０ｂは、座面部２９に対して所定の深さを有する椅子２０が提供される。
【００３８】
背板部３０の背板部分３０ｂは、下端から所定長だけ前方に向けて所定角度で傾斜し、下方から所定長のところより上端までは後方に向けて傾斜していてよい。
【００３９】
従って、簡易かつ低コストの構成により、着座時にユーザの腰の部分にできるデッドスペースを有効活用して手荷物を収納するのに十分な収納空間を形成しつつ、着座姿勢も快適なものとすることができる。
【００４０】
以上、本発明の第１及び第２実施形態について説明したが、本発明はこれに限定されることなくその趣旨を逸脱しない範囲で種々の改良・変更が可能である。
【００４１】
例えば、上記実施形態では、載置部分の深さを固定としていたが、段階的に深さを調整できるように構成してもよいことは勿論である。
【符号の説明】
【００４２】
１…椅子、２…脚部、３…脚部、４…脚部、４ａ…脚部分、４ｂ…支柱部分、５…脚部、５ａ…脚部分、５ｂ…支柱部分、６…前方フレーム部、７…側方フレーム部、８…側方フレーム部、９…後方フレーム部、１０…側方補強部、１１…後方補強部、１２…背面補強部、１３…背面補強部、１４…背板部、１５…座面部、１６…載置部、１７…背面部、２０…椅子、２１…脚部、２２…脚部、２３…脚部、２３ａ…脚部分、２３ｂ…フレーム部分、２４…脚部、２４ａ…脚部分、２４ｂ…フレーム部分、２５…前方フレーム部、２６…後方フレーム部、２７…背板固定部、２８…突出部、２９…座面部、３０…背板部、３０ａ…載置部分、３０ｂ…背板部分、３１…固定部、３２…固定部、３３…背板固定部、３４〜３７…ネジ、３８…金具、３９…金具。
【図１】
2019037849.tif 000003
【図２】
2019037849.tif 000004
【図３】
2019037849.tif 000005
【図４】
2019037849.tif 000006
【図５】
2019037849.tif 000007
【図６】
2019037849.tif 000008
【図７】
2019037849.tif 000009